(57)【要約】  歯科用ハンドピース、特にカメラハンドピースは、ハウジング（１６）を有しており、そのハウジングに、周方向に延びる変形可能な壁部分（２６）が設けられている。変形可能な壁部分（２６）の後方に、圧電箔によって形成することができる、変形センサ（３４）がある。変形可能な壁部分（２６）の予め定めることのできる変形に達成した場合に画像の記録を作動させるために、変形センサ（３４）の出力が、判別器によって監視される。
2009527301.tif 000002
【特許請求の範囲】
【請求項１】
ハウジング（１６）を有し、その内部に少なくとも１つの作業コンポーネントが配置されている、歯科用ハンドピース、特に口内カメラハンドピースであって、
ハウジング（１６）が、少なくとも１つの弾性的に変形可能な壁部分（２６）を有しており、前記壁部分が変形センサ（３４）と協働する、
ことを特徴とする歯科用ハンドピース。
【請求項２】
弾性的に変形可能な壁部分（２６）が、ハウジング（１６）の変形できない壁部分よりも薄い壁厚を有しており、かつ
ハウジング（１６）が、弾性的な材料から形成されている、
ことを特徴とする請求項１に記載のハンドピース。
【請求項３】
ハウジング（１６）が、プラスチック成形部品である、ことを特徴とする請求項２に記載のハンドピース。
【請求項４】
変形可能な壁部分（２６）が、周方向に延びている、ことを特徴とする請求項１から３のいずれか１項に記載のハンドピース。
【請求項５】
変形可能な壁部分（２６）の周方向の延びが、実質的に３６０°である、ことを特徴とする請求項４に記載のハンドピース。
【請求項６】
変形センサ（３４）が、伸張測定細片または圧電箔を有している、ことを特徴とする請求項１から５のいずれか１項に記載のハンドピース。
【請求項７】
伸張測定細片または圧電箔が、凹部（３２）を覆っており、前記凹部が支持筒（２８）の外側に設けられており、かつ変形可能な壁部分（２６）と軸方向に一直線である、ことを特徴とする請求項６に記載のハンドピース。
【請求項８】
伸張された変形可能な壁部分（２６）の後方に、複数の変形センサ（３４）が配置されている、ことを特徴とする請求項１から７のいずれか１項に記載のハンドピース。
【請求項９】
変形センサ（３４）が、信号処理回路（４４）と接続されており、前記信号処理回路が、インピーダンス変換および／または振幅変換および／または周波数変換された信号を発生させる、ことを特徴とする請求項１から８のいずれか１項に記載のハンドピース。
【請求項１０】
変形センサ（３４）の出力信号に従って、トリガー回路が作動される、ことを特徴とする請求項１から９のいずれか１項に記載のハンドピース。
【発明の詳細な説明】
【技術分野】
【０００１】
本発明は、請求項１の前文に記載の歯科用ハンドピース、特に口内カメラハンドピースに関する。
【背景技術】
【０００２】
様々な内部作業コンポーネントを有する、この種のハンドピース、たとえば、タービンハンドピース、超音波ハンドピース、スプレイハンドピースおよびカメラハンドピースが知られている。
【０００３】
この種のハンドピースは、しばしば、ハンドピースの作業を制御する操作部材、たとえば、スプレイハンドピースにおいてはスプレイ液を制御するスイッチ、を有している。
【０００４】
他のハンドピースには、これまで作業部材を設けることができなかった。これらは、しばしばフットスイッチを介して制御される。
【０００５】
ハンドピースの操作部材において、常に、そこで汚染された液体がハンドピースの内部へ浸入する危険がある。これらの器具は、各使用後に滅菌され、あるいは消毒されるが、たとえば間隙など、接近しにくい箇所では、滅菌と消毒が損なわれる可能性がある。多くの作業コンポーネント、特に電子コンポーネントのためには、液体、水分の霧あるいは湿った空気の侵入も、望ましくない。
【発明の開示】
【発明が解決しようとする課題】
【０００６】
上記問題に鑑み、本発明は請求項１の前文に記載のハンドピースを、ハウジング内部と周囲との間にリーク路が形成されることなしに、作業コンポーネントの操作可能性が与えられるようにすることを目的としている。
【課題を解決するための手段】
【０００７】
この課題は、本発明によれば、請求項１に記載された特徴を有するハンドピースによって解決される。
【０００８】
本発明に基づくハンドピースにおいて、ハウジングは、操作装置の領域においても絶対的につながっている。従って、そこで汚れが侵入する危険がない。
【０００９】
操作装置がハンドピースを案内する手に近いことが、制御すべき作業コンポーネントを人間工学的に効果的かつ快適にオンオフし、ないしはトリガーすることを許す。
【００１０】
本発明の好ましい展開が、下位請求項に記載されている。
【００１１】
請求項２に示すハンドピースにおいて、ハウジング全体を同一の材料から形成することができる。ハウジングの、操作装置に対応づけられた壁部分の変形可能性は、壁厚を局所的に縮小することによって得られる。
【００１２】
請求項３に示す本発明の展開は、簡単かつ安価な形成に関して、効果的である。プラスチック成形部品は、良好な表面品質と魅力的な外見も、特徴である。
【００１３】
請求項４に示すハンドピースにおいては、操作は、ハウジングのリング形状の操作部分の様々な箇所で行うことができる。従って、作業コンポーネントを、ハンドピースがそのときどの角度方位で保持されても、同じように、まさに同じに、制御することができる。
【００１４】
これは、特に、請求項５に示すハンドピースに当てはまる。
【００１５】
請求項６に示すハンドピースは、特に単純かつじょうぶな構造を特徴としている。望ましい場合には、変形センサのアナログの出力信号を、作業コンポーネントの作業を量的に制御するため、たとえばカメラの画像を鮮鋭にするために、使用することもできる。
【００１６】
請求項７に示す本発明の展開によって、変形センサの特に高い感度が得られる。
【００１７】
請求項８に示すハンドピースにおいては、複数の作業コンポーネントを小さい空間で快適に制御することができる。変形可能な壁部分の後方に配置された種々の変形センサは、ハンドピースの軸に関するその角度位置に関して、かつ／またはハンドピース上のその位置に関して、異なることができる。
【００１８】
請求項９に示す本発明の展開によって、操作する場合に動作、たとえば歯科用口内カメラの画像変換器による画像の記録、を簡単に作動させることができる、ハンドピースが得られる。
【発明を実施するための最良の形態】
【００１９】
以下、図面を参照しながら、実施例を用いて本発明を詳細に説明する。
【００２０】
図１において、歯科用カメラハンドピースが、全体を符号１０で示されている。このハンドピースは、模式的に示されているケーブル１２を介して駆動ユニット１４と接続されており、その駆動ユニットは観察光およびカメラハンドピース１０内に含まれる電子コンポーネント（画像変換器と画像編集）のための供給電圧を提供し、かつカメラの画像変換器が発生した信号を受信して処理する。
【００２１】
カメラハンドピース１０は、全体を符号１６で示すハウジングを有しており、そのハウジングは、プラスチック射出成形部品である。
【００２２】
ハウジング１６は、前方の細長いハウジング部分１８を有しており、そのハウジング部分は大まかに言って細長い円錐の形状を有しており、その内側は、種々の光学コンポーネントと画像変換器を予め定められた位置に収容することができるように、多段に形成されている。これら、カメラ内部の作業コンポーネントは、見やすくするために、図面には示されていない。ハウジング部分１８の透明な窓２０が、口内空間における観察を可能にする。
【００２３】
ハウジング部分１８内に、軸方向に収容部２２が設けられており、その中に光波ガイド（図示せず）が収容されており、それが、窓２０を通して観察すべき場所へ光を放出する。
【００２４】
図２の左に位置する終端部分において、ハウジング部分１８は、円錐状の壁部分２４を介して筒形状の壁部分２６と結合されている。この壁部分は、その右に位置する、ハウジング部分１８の壁に比較して薄い壁厚を有しており、従って指圧力によって径方向内側へ変形することができる。
【００２５】
筒形状の壁部分２６は、図２の右に位置する、支持筒２８の終端部分を覆っており、その支持筒は同時に、カップリング筒３０を軸承するために用いられ、そのカップリング筒は、ハンドピース１０をケーブル１２の然るべく形成された端部と取り外し可能に結合して、ロックするために用いられる。
【００２６】
特に図３から明らかなように、支持筒２８は、筒形状の壁部分２６の後方に位置する部分内に、フラットな周面溝３２を有しており、その周面溝が箔センサ３４によって覆われる。
【００２７】
箔センサ３４は、考察されるこの実施例において、以下で図４と５を参照しながらさらに詳細に説明するように、圧電箔である。
【００２８】
箔センサ３４の幾何学配置は、それが周面溝３２と、支持筒２８の外側面の、その周面溝に隣接する部分とを折目なしに覆うように、選択されている。ここで考察される実施例において、カップリング筒３０の外側面の、周面溝３２に隣接する領域は、弱い円錐率を有しているので、圧電センサ３４の展開は、円錐台の展開に相当し、従って２つの径方向に隔たった円弧と径方向の射線の２つの部分とによって画成される。
【００２９】
図４と図５から明らかなように、箔センサ３４は、センサ箔３６とその上にプリントされた導体路３８とからなる。センサ箔３６は、圧電材料から形成されており、平面的なコンデンサのプレートを形成している。センサ箔３６が変形された場合に、箔センサ３４の接続端子４０、４２に、センサ箔３６の変形を特徴づける電圧が得られる。
【００３０】
箔センサ３４は、圧電誘電体によって満たされたコンデンサであって、高インピーダンスの出力信号を提供する。この出力信号を低インピーダンスの信号に変換するために、図６に示す信号処理回路４４（インピーダンス変換器）を使用することができる。
【００３１】
箔センサ３４から出力された電圧が、高インピーダンスのＲＣフィルタ４６を介して演算増幅器４８のプラスの入力部へ送られる。その出力信号が、分圧器５０を介して増幅器の逆の入力部へフィードバックされる。
【００３２】
演算増幅器４８の出力信号は、その大きさがセンサ箔３６の変形に相当するインピーダンスであって、さらに処理するために駆動ユニット１４へ与えられる。
【００３３】
上述したハンドピースは、以下のように使用される：
【００３４】
駆動ユニット１４をオンにすることによって、光がケーブル１２を介してカメラハンドピース１０へ案内される。この光が、窓２０を通って出射する。歯科医は、駆動ユニット１４によって駆動されるモニタ上に口内の撮影しようとする領域が見えるまで、カメラを移動させる。歯科医は、変形可能な壁部分２６を、記録が作動されるまで、強く操作する。そのために、駆動ユニット１４は、信号処理回路４４の出力信号を供給されるトリガー段または判別器段を有することができる。
【００３５】
作動を、駆動ユニット１４は、たとえば音響信号によって確認することができる。
【００３６】
上述した実施例の展開において、壁部分２６の変形を測定する他の変形センサ、特に伸張測定細片を使用することもできる。その場合には、信号処理回路４４が、それに応じて変更される。
【図面の簡単な説明】
【００３７】
【図１】口内カメラハンドピースを示す側面図である。
【図２】図１に示すハンドピースのハウジングを示す軸断面図である。
【図３】図２に示すハウジングに取り付けられた変形センサリングを拡大して示している。
【図４】導体側の圧電箔変形センサの他の図である。
【図５】図４に示す圧電箔変形センサを逆側から示している。
【図６】図１に示すハンドピース内で使用される、信号処理回路のブロック回路図である。
【図１】
2009527301.tif 000003
【図２】
2009527301.tif 000004
【図３】
2009527301.tif 000005
【図４】
2009527301.tif 000006
【図５】
2009527301.tif 000007
【図６】
2009527301.tif 000008
【国際調査報告】
2009527301.tif 000009
2009527301.tif 000010
2009527301.tif 000011
2009527301.tif 000012